(57)【要約】【課題】風冷構造の収納盤に設けられるフィルタを長寿命化し、収納盤の信頼性を向上する。【解決手段】収納盤２に形成された通気口３ａに設けられるフィルタ１の取付構造である。１対の押さえ板６，７で、フィルタ１の端部が押さえ板６，７の端部から突出するように、フィルタ１を挟持して、フィルタ構造体５を構成する。このフィルタ構造体５をスペーサ８を介して扉３に形成されたフィルタ保持枠３ｂに設ける。フィルタ１の外寸＞フィルタ保持枠３ｂ内周部の内寸＞押さえ板６，７の外寸、とする。【選択図】図２
2016111915.tif 000002
【特許請求の範囲】
【請求項１】
収納盤に形成された通気口に設けられるフィルタの取付構造であって、
前記通気口を包囲するように前記収納盤に形成され、前記フィルタを保持するフィルタ保持枠と、
前記フィルタ保持枠の前記通気口側の開口から前記フィルタを離隔させるスペーサと、を有し、
１対の枠体で、該枠体の端部から前記フィルタの端部が突出するように該フィルタを挟持してフィルタ構造体を構成し、
前記フィルタ保持枠の深さを、前記フィルタ構造体の厚さと前記スペーサの厚さを足した厚さより深く形成し、
前記枠体の端部から突出したフィルタの端部が、前記フィルタ保持枠の内周部と前記フィルタ構造体の端部との間を閉塞させるように、前記フィルタ保持枠に前記フィルタ構造体を設ける
ことを特徴とするフィルタの取付構造。
【請求項２】
前記フィルタ保持枠の縦方向の幅を、前記フィルタの縦方向の幅よりも狭く、前記枠体の縦方向の幅よりも広く形成し、
前記フィルタ保持枠の横方向の幅を、前記フィルタの横方向の幅よりも狭く、前記枠体の横方向の幅よりも広く形成する
ことを特徴とする請求項１に記載のフィルタの取付構造。
【請求項３】
前記枠体間に、目の粗さの異なる複数のフィルタを設ける
ことを特徴とする請求項１または請求項２に記載のフィルタの取付構造。
【請求項４】
収納盤の扉に形成された通気穴に設けられるフィルタの取付構造であって、
前記収納盤に吸入される空気が通過する開口穴を有し、前記扉を閉じたときに、前記扉の内側の面と対向して設けられる絶縁バリアと、
前記収納盤に吸入される空気が通過する開口穴を有し、前記通気穴の前記扉外側の開口端部に設けられる前面カバーと、
前記収納盤に吸入される空気が通過する開口部を有し、前記通気穴に設けられる受け金具と、
前記フィルタが固定されるフィルタ固定枠と、
前記受け金具の前記絶縁バリアと対向する面、若しくは、前記絶縁バリアの前記受け金具と対向する面に設けられるシール部材と、を有し、
前記受け金具の奥行方向の寸法は、前記フィルタが固定されたフィルタ固定枠の厚さより大きく、
前記扉を閉じたとき、前記シール部材は、前記絶縁バリアと前記受け金具との間に挟装され、
前記フィルタが固定されたフィルタ固定枠は、前記受け金具に、前記収納盤の外側から着脱可能に設けられ、
前記フィルタ固定枠を介して前記受け金具に固定されたフィルタから離間して、前記前面カバーが設けられた
ことを特徴とするフィルタの取付構造。
【請求項５】
前記収納盤は、電力変換装置を収納する
ことを特徴とする請求項１から請求項４のいずれか１項に記載のフィルタの取付構造。
【請求項６】
請求項１から請求項５のいずれか１項に記載のフィルタの取付構造を有する収納盤。
【発明の詳細な説明】
【技術分野】
【０００１】
本発明は、収納盤に取り付けられるフィルタの取付構造及び収納盤に関する。
【背景技術】
【０００２】
配電盤や電力変換装置等の機器を収納する収納盤には、内部の部品等を冷却するために風冷構造を持つものが多い。
【０００３】
風冷構造を持つ収納盤は、例えば、収納盤の天井に換気ファンを有し、収納盤の前面に設けられる扉や収納盤の筐体として設けられる板金に通気口を有する。この通気口には、フィルタ（エアフィルタ）が設けられる（例えば、特許文献１，２）。収納盤は、通気口から収納盤内部に冷却風を導入し、天井から冷却風を排出して、収納盤内への異物混入を防ぎつつ、内部の部品等を冷却する。
【０００４】
フィルタは、定期的に新しいフィルタと交換する必要がある。そこで、収納盤の扉を閉じたままの状態でフィルタ交換作業を行うことができる技術が提案されている（例えば、特許文献３）。
【先行技術文献】
【特許文献】
【０００５】
【特許文献１】特開昭６１−２２５８９６号公報
【特許文献２】実開平４−４７３１４号公報
【特許文献３】特開２０１２−４４７７９号公報
【発明の概要】
【発明が解決しようとする課題】
【０００６】
しかしながら、フィルタ保持枠にフィルタを保持した場合、フィルタ保持枠とフィルタとの間に隙間が生じ、この隙間から冷却風が収納盤内に導入されるおそれがある。つまり、フィルタを通過しない冷却風が収納盤内に導入され、収納盤での事故の発生や収納盤内の部品の劣化原因となるおそれがある。
【０００７】
また、フィルタ保持枠内において、フィルタが冷却風の流れにしたがって移動すると、フィルタ保持枠にフィルタが接触するおそれがある。フィルタがフィルタカバーやフィルタ保持枠に接触すると、フィルタと冷却風との接触面積が減少することとなり、フィルタの寿命が短くなるおそれがある。
【０００８】
上記事情に鑑み、本発明は、フィルタの長寿命化及び収納盤の信頼性の向上に貢献する技術を提供することを目的としている。
【課題を解決するための手段】
【０００９】
上記目的を達成する本発明のフィルタの取付構造の一態様は、収納盤に形成された通気口に設けられるフィルタの取付構造であって、前記通気口を包囲するように前記収納盤に形成され、前記フィルタを保持するフィルタ保持枠と、前記フィルタ保持枠の前記通気口側の開口から前記フィルタを離隔させるスペーサと、を有し、１対の枠体で、該枠体の端部から前記フィルタの端部が突出するように該フィルタを挟持してフィルタ構造体を構成し、前記フィルタ保持枠の深さを、前記フィルタ構造体の厚さと前記スペーサの厚さを足した厚さより深く形成し、前記枠体の端部から突出したフィルタの端部が、前記フィルタ保持枠の内周部と前記フィルタ構造体の端部との間を閉塞させるように、前記フィルタ保持枠に前記フィルタ構造体を設けることを特徴としている。
【００１０】
また、上記目的を達成する本発明のフィルタの取付構造の他の態様は、収納盤の扉に形成された通気穴に設けられるフィルタの取付構造であって、前記収納盤に吸入される空気が通過する開口穴を有し、前記扉を閉じたときに、前記扉の内側の面と対向して設けられる絶縁バリアと、前記収納盤に吸入される空気が通過する開口穴を有し、前記通気穴の前記扉外側の開口端部に設けられる前面カバーと、前記収納盤に吸入される空気が通過する開口部を有し、前記通気穴に設けられる受け金具と、前記フィルタが固定されるフィルタ固定枠と、前記受け金具の前記絶縁バリアと対向する面、若しくは、前記絶縁バリアの前記受け金具と対向する面に設けられるシール部材と、を有し、前記受け金具の奥行方向の寸法は、前記フィルタが固定されたフィルタ固定枠の厚さより大きく、前記扉を閉じたとき、前記シール部材は、前記絶縁バリアと前記受け金具との間に挟装され、前記フィルタが固定されたフィルタ固定枠は、前記受け金具に、前記収納盤の外側から着脱可能に設けられ、前記フィルタ固定枠を介して前記受け金具に固定されたフィルタから離間して、前記前面カバーが設けられたことを特徴としている。
【００１１】
また、上記目的を達成する本発明の収納盤は、上記フィルタの取付構造を有することを特徴としている。
【発明の効果】
【００１２】
以上の発明によれば、フィルタの寿命が延び、収納盤の信頼性が向上する。
【図面の簡単な説明】
【００１３】
【図１】本発明の第１実施形態に係る収納盤の要部拡大斜視図である。
【図２】本発明の第１実施形態に係る収納盤のフィルタ部分の分解斜視図である。
【図３】フィルタ構造体の分解斜視図である。
【図４】（ａ）フィルタ構造体の正面図、（ｂ）フィルタ構造体の角部の拡大図である。
【図５】（ａ）フィルタが設けられた扉の正面図、（ｂ）図５（ａ）のＡ−Ａ断面図である。
【図６】本発明の第２実施形態に係る収納盤の要部拡大斜視図である。
【図７】本発明の第２実施形態に係る収納盤のフィルタ部分の分解斜視図である。
【図８】本発明の第２実施形態に係る収納盤の扉部分の横断面図である。
【図９】フィルタアセンブリの斜視図である。
【図１０】（ａ）フィルタ固定枠にフィルタを設ける手順を説明する説明図、（ｂ）フィルタ固定枠にフィルタを固定する手順を説明する説明図である。
【図１１】収納盤の扉にフィルタアセンブリを固定する手順を説明する説明図である。
【図１２】本発明の他の実施形態に係るフィルタ構造体の分解斜視図である。
【発明を実施するための形態】
【００１４】
本発明の実施形態に係るフィルタの取付構造及び収納盤について、図面を参照して詳細に説明する。
【００１５】
［第１実施形態］
図１は、本発明の第１実施形態に係るフィルタ１が取り付けられる収納盤２の要部拡大図である。実施形態では、電力変換装置を収納した収納盤２の扉３にフィルタ１を設けたものである。なお、図１では、フィルタ１は、フィルタカバー４に覆われている。また、図示していないが、収納盤２の天井部には、冷却風が排出される排出口及び換気ファンが設けられている。
【００１６】
図２に示すように、扉３には、後に詳述するフィルタ構造体５（フィルタアセンブリ）を保持するフィルタ保持枠３ｂが形成される。
【００１７】
フィルタ保持枠３ｂは、例えば、収納盤２内部方向（図中矢印で示す）に凹となるように扉３に形成された凹部である。すなわち、凹部の壁面によりフィルタ保持枠３ｂが形成されることとなる。また、凹部の平坦面（奥行方向の面、以後、フィルタ保持枠３ｂの奥面という）には、スリット状の通気口３ａが複数形成される。つまり、フィルタ保持枠３ｂは、通気口３ａを包囲するように扉３に形成される。したがって、フィルタ保持枠３ｂは、扉３の収納盤２外部側に開口（以後、外部側開口という）を有し、扉３の収納盤２内部側に通気口３ａと連通する開口（以後、内部側開口という）を有することとなる。冷却風は、フィルタ保持枠３ｂ及び通気口３ａを通過して収納盤２内に導入される。フィルタ保持枠３ｂの深さ（すなわち、扉３の厚さ方向のフィルタ保持枠３ｂの厚み）を、フィルタ構造体５の厚さよりも厚く形成すると、フィルタ保持枠３ｂに保持されたフィルタ構造体５が、扉３の前面から突出することがなく好ましい。
【００１８】
フィルタカバー４は、冷却風が通過可能であり、フィルタ１を保護するものである。例えば、フィルタカバー４は、平板を並設してスリットを形成した構造（所謂、鎧戸構造）を有するカバーである。フィルタカバー４は、フィルタ１及び収納盤２の安全上の保護を考慮して設けられるものであり、収納盤２内部に手指等が侵入することを防止する。
【００１９】
フィルタ構造体５は、図３に示すように、フィルタ１を一対の押さえ板６，７で挟持して構成される。押さえ板６，７は、冷却風が通過可能な開口部６ａ，７ａが形成された枠体である。
【００２０】
押さえ板６，７は、フィルタ１の外形よりも小さい外形を有する。よって、図４（ａ），図４（ｂ）に示すように、フィルタ１を抑え板６，７で挟持することで、フィルタ１の端部が押さえ板６，７の端部からはみ出した状態となる。
【００２１】
つまり、図４（ｂ）に示すように、「フィルタ１の縦方向の外寸」＞「押さえ板６，７の縦方向の外寸」、且つ「フィルタ１の横方向の外寸」＞「押さえ板６，７の横方向の外寸」、とすることで、押さえ板６，７の外寸よりもフィルタ１の外寸が若干大きく形成されることとなり、押さえ板６，７に対してフィルタ１が縦方向と横方向の両方ではみ出す構成となる。
【００２２】
図５（ａ）に示すように、フィルタ構造体５は、扉３のフィルタ保持枠３ｂに固定され、フィルタカバー４に覆われる。なお、図５（ａ）では、フィルタ構造体５は、フィルタカバー４に隠れている。
【００２３】
図５（ｂ）に示すように、フィルタ構造体５は、フィルタ保持枠３ｂの奥面にスペーサ８を介して螺設される。具体的には、螺子９がフィルタ構造体５及びスペーサ８を貫通してフィルタ保持枠３ｂの奥面に螺着される。なお、図５（ｂ）に示したフィルタ構造体５において、押さえ板６と押さえ板７との間にスペーサ１０が設けられているが、押さえ板６と押さえ板７との間隔はフィルタ１の厚さによって規定することもできるので、スペーサ１０は必ずしも必要なものではない。また、実施形態の説明では、スペーサ８をフィルタ構造体５の４隅に設けているが、スペーサ８の配置形態は４隅に限定されるものではなく、フィルタ保持枠３ｂの内部側開口とフィルタ構造体５との間に隙間を形成可能なように適宜必要な箇所にスペーサ８が配置される。
【００２４】
扉３にフィルタ構造体５を螺設する際、フィルタ構造体５がフィルタ保持枠３ｂに挿入され、スペーサ８に当接したフィルタ構造体５が螺子９で固定される。さらに、フィルタ保持枠３ｂの外部側開口を覆うようにフィルタカバー４が扉３に設けられる。
【００２５】
フィルタ保持枠３ｂにフィルタ構造体５を挿入したとき、フィルタ構造体５の端部から突出しているフィルタ１の端部が変形し、押さえ板６の端部（すなわち、フィルタ構造体５の端部）とフィルタ保持枠３ｂの内周部とを閉塞することとなる。つまり、「フィルタ１の縦方向の外寸」＞「フィルタ保持枠３ｂ内周部の縦方向の内寸」＞「押さえ板６，７の縦方向の外寸」、且つ、「フィルタ１の横方向の外寸」＞「フィルタ保持枠３ｂ内周部の横方向の内寸」＞「押さえ板６，７の横方向の外寸」、とすることで、フィルタ構造体５の端部とフィルタ保持枠３ｂ内周部との隙間をフィルタ１によって埋めることができる。なお、図５（ｂ）では、フィルタ構造体５の下端部とフィルタ保持枠３ｂの内周面との隙間がフィルタ１によって埋められているが、フィルタ構造体５の各端辺において、フィルタ構造体５の端部とフィルタ保持枠３ｂ内周部との隙間がフィルタ１の変形によって埋められることとなる。
【００２６】
また、「フィルタ保持枠３ｂの奥行方向の厚さ（Ｌ）」＞「フィルタ構造体５の厚さ＋スペーサ８の厚さ」、とすることで、フィルタ構造体５をフィルタ保持枠３ｂ内に螺設した際に、フィルタ１とフィルタカバー４との間に空隙が形成されることとなる。
【００２７】
上記構成を有する本発明の第１実施形態に係るフィルタ１の取付構造及び収納盤２によれば、フィルタ保持枠３ｂにスペーサ８を介してフィルタ構造体５を設けることで、フィルタ１と扉３本体との間に隙間ができるようにフィルタ１をフィルタ保持枠３ｂに固定することができる。その結果、冷却風の流れや振動等によって、フィルタ１と扉３の接触が防止され、フィルタ１の性能を生かすことができるとともに、フィルタ１の寿命が短縮されることを抑制する。
【００２８】
また、「フィルタ保持枠３ｂの奥行方向の厚さ（Ｌ）」＞「フィルタ構造体５の厚さ＋スペーサ８の厚さ」、とすることで、フィルタ１とフィルタカバー４との間に空隙できるようにフィルタ１がフィルタ保持枠３ｂに固定される。その結果、振動等によって、フィルタ１とフィルタカバー４との接触が防止され、フィルタ１の性能を生かすことができるとともに、フィルタ１の寿命が短縮されることを抑制する。さらに、フィルタ構造体５が、フィルタ保持枠３ｂ内に収納されることとなるので、扉３表面とフィルタカバー４との凹凸が少なくなり、美観を損なうことがない。
【００２９】
また、フィルタ保持枠３ｂにフィルタ構造体５を挿入した際に、フィルタ構造体５の端部から突出したフィルタ１がフィルタ構造体５の端部とフィルタ保持枠３ｂの内周面との間を閉塞するように変形する。すなわち、押さえ板６，７の端部から突出したフィルタ１により、フィルタ構造体５とフィルタ保持枠３ｂの内周面との間の隙間が閉塞される。その結果、ほとんどの冷却風がフィルタ１を通過して収納盤２内部に流入することとなり、フィルタ１における粉塵等の捕集能力が向上し、収納盤２内部に異物が侵入する等の原因による収納盤２内の事故や部品の劣化を防止することができる。
【００３０】
また、収納盤２は、配電盤や電力変換装置等の風冷構造を有する収納盤に適用することができる。この収納盤２によれば、フィルタ１の長寿命が可能であり、収納盤２の信頼性が向上するだけでなく、収納盤２の扉３を開閉することなくフィルタ１を交換することができる。
【００３１】
［第２実施形態］
本発明の第２実施形態に係るフィルタ１２が取り付けられる収納盤１３の要部拡大図を図６に示す。図６に示すように、フィルタ１２は収納盤１３の扉１４に設けられ、収納盤１３内部に異物が混入されることを防止する。なお、図６では、フィルタ１２は前面カバー１５に覆われており、図示されていない。
【００３２】
収納盤１３は、第１実施形態の収納盤２と同様のものであり、例えば、配電盤や電力変換装置を収納する盤である。
【００３３】
図７に示すように、扉１４には、冷却風が通過する吸気穴１４ａが形成される。扉１４の吸気穴１４ａには、受け金具１６が設けられ、受け金具１６には、フィルタアセンブリ１７が設けられる。また、扉１４には、前面カバー１５を螺設するための雌螺子部１４ｂが形成される。
【００３４】
前面カバー１５は、扉１４に形成された吸気穴１４ａの扉１４外側の開口を覆うように設けられる。前面カバー１５には、前面カバー１５を固定するための螺子貫通穴１５ａが形成されており、螺子貫通穴１５ａを貫通させた螺子を雌螺子部１４ｂに取り付けることで前面カバー１５が扉１４に固定される。また、前面カバー１５には、通気用の開口穴１５ｂ（例えば、長穴形状の開口穴）が多数形成される。開口穴１５ｂは、人の指が入らない大きさに形成される。
【００３５】
受け金具１６は、フィルタアセンブリ１７が固定される枠体である。図８に示すように、受け金具１６の奥行方向の寸法Ｌは、フィルタアセンブリ１７の奥行方向の寸法Ｄよりも長く形成される。つまり、受け金具１６にフィルタアセンブリ１７を固定した後、吸気穴１４ａの扉１４外側の開口を覆うように前面カバー１５を設けると、フィルタアセンブリ１７と前面カバー１５との間には、受け金具１６とフィルタアセンブリ１７の奥行方向の寸法差分（Ｌ−Ｄ）の隙間が生じることとなる。受け金具１６は、扉１４に溶接等に取り付けられる。例えば、受け金具１６は、吸気穴１４ａの扉１４外側の開口端部に設けられた溶接部１８にて扉１４に溶接される。なお、図７に示すように、受け金具１６には、フィルタアセンブリ１７を螺設するための雌螺子部１６ａが形成される。また、受け金具１６の収納盤１３内部側には、パッキン（シール部材）１９が設けられる。
【００３６】
パッキン１９は、受け金具１６の収納盤１３内部側の面であって、受け金具１６に形成された開口部１６ｂを囲むように設けられる。扉１４を閉じたときに、扉１４の収納盤１３内部側の面は、収納盤１３に設けられた絶縁バリア２０と対向することとなる。したがって、受け金具１６にパッキン１９を設けることにより、扉１４を閉じたときに、受け金具１６がパッキン１９を介して絶縁バリア２０と接触するため、受け金具１６と絶縁バリア２０間にはパッキン１９の厚さ（弾性変形後の厚さ）分の隙間が生じる。また、受け金具１６には、フィルタアセンブリ１７が螺子止め等により固定されているので、フィルタアセンブリ１７と絶縁バリア２０との間に少なくともパッキン１９の厚さ分の隙間が生じることになる。なお、パッキン１９は、絶縁バリア２０の受け金具１６と対向する面であって、開口部１６ｂを囲む位置と対応する位置に設けることもできる。
【００３７】
絶縁バリア２０は、扉１４を開いた時に人が収納盤１３の内部の通電部に接触して感電することを防止するために設けられる、板金や、鍵付き内扉等である。絶縁バリア２０には、通気用の開口穴２０ａ（例えば、長穴形状の開口穴）が多数形成される。開口穴２０ａは、人の指が入らない大きさに形成される。
【００３８】
フィルタアセンブリ１７は、フィルタ１２と、フィルタ１２が固定されるフィルタ固定枠２１と、により構成される。
【００３９】
図９に示すように、フィルタ固定枠２１の両側端部には、フィルタ１２が挿設される支持部２１ａが設けられる。また、フィルタ固定枠２１の上下端部には、固定部２１ｂが設けられ、固定部２１ｂにはフィルタアセンブリ１７を受け金具１６に固定するための螺子貫通穴２１ｃが形成される。なお、支持部２１ａをフィルタ固定枠２１の上下端部に設け、フィルタ１２をフィルタ固定枠２１の横からスライドさせてフィルタ固定枠２１にフィルタ１２を固定させることもできる。この場合、フィルタ固定枠２１の両側端部に、固定部２１ｂが設けられることとなる。
【００４０】
［フィルタの取付手順］
受け金具１６にフィルタ１２を取り付ける手順について、図１０，１１を参照して説明する。
【００４１】
まず、フィルタ１２をフィルタ固定枠２１に固定してフィルタアセンブリ１７を組み立てる。フィルタ１２は、フィルタ固定枠２１の上方から支持部２１ａに挿入され（図１０（ａ））、支持部２１ａにおいて螺子または杭状のもの等を支持部２１ａに複数個空いている穴に通すことで、フィルタ１２がフィルタ固定枠２１に圧縮固定される（図１０（ｂ））。
【００４２】
次に、図１１に示すように、螺子貫通穴２１ｃを貫通させた螺子（図示せず）を雌螺子部１６ａに取り付けることで受け金具１６にフィルタアセンブリ１７が螺設される。さらに、螺子貫通穴１５ａを貫通させた螺子（図示せず）を雌螺子部１４ｂに取り付けることで扉１４に前面カバー１５が螺設される。このようにして、フィルタアセンブリ１７が受け金具１６に密着して固定され、前面カバー１５がフィルタアセンブリ１７を挟んだ状態で扉１４に取り付けられる。
【００４３】
なお、フィルタ１２を交換する際は、フィルタ１２の取付手順と逆の手順を行うによりフィルタ１２が受け金具１６から取り外される。
【００４４】
以上のような、本発明の第２実施形態に係るフィルタ１２の取付構造及び収納盤１３によれば、扉１４を閉じたときに、フィルタアセンブリ１７の前面側と背面側のそれぞれに隙間が生じる。その結果、フィルタ１２と前面カバー１５や絶縁バリア２０とが接触することなくフィルタ１２を扉１４に設けることができる。そして、フィルタ１２を通過した冷却風を収納盤１３へ導入することができる。
【００４５】
また、フィルタアセンブリ１７の外周は、受け金具１６等で密閉されているため、前面カバー１５を通過した吸気は漏れることなくフィルタ１２を通過する。したがって、収納盤１３の外部から内部への吸気の流れは、収納盤１３外部→前面カバー１５の開口穴１５ｂ→前面側隙間→フィルタ固定枠２１の前面側の開口部→フィルタ１２→フィルタ固定枠２１の背面側の開口部２１ｄ→受け金具１６の開口部１６ｂ→背面側隙間→絶縁バリア２０の開口穴２０ａ→収納盤１３内部となる。つまり、冷却風の流入経路に隙間が無いので、扉１４外側（すなわち、収納盤１３外部）から吸気した空気は漏れることなくすべてフィルタ１２を通過し、扉１４内側（すなわち、収納盤１３内部）へ移動するため、高い防塵効果を有する。
【００４６】
また、フィルタ１２の扉１４外側（つまり、前面カバー１５とフィルタ１２との間）に隙間を設けることで、フィルタ１２が吸入空気と接する面積を大きくできる。例えば、図９のフィルタアセンブリ１７の構成では、フィルタ固定枠２１の開口部の面積（すなわち、支持部２１ａ間のフィルタ１２部分の面積）が吸入空気と接する面積となる。
【００４７】
また、受け金具１６と絶縁バリア２０との間にパッキン１９を設けることで、フィルタ１２の扉１４内側（つまり、絶縁バリア２０とフィルタ１２との間）に隙間を設けることができ、フィルタ１２が排気する面積を大きくすることができる。例えば、図１０（ａ）のフィルタアセンブリ１７の構成では、フィルタ固定枠２１の絶縁バリア２０側に１２個ある正方形状の開口部２１ｄの面積が吸入空気と接する面積となる。
【００４８】
収納盤１３において、収納盤１３に吸気する風量Ｑと、フィルタ１２を通過する吸入空気の風速Ｖと、フィルタ１２の空気と接する面積Ｓ（フィルタ１２の前面の面積または背面の面積）との間には、理論上（１）式の関係が成り立つ。
【００４９】
Ｑ＝Ｖ×Ｓ      …（１）
（１）式より、フィルタ１２の空気と接する面積Ｓを大きくすれば、フィルタ１２を通過する吸入空気の風速Ｖが低い値であっても所定の風量Ｑを確保することができる。つまり、フィルタ１２の前面及び背面に隙間を設けることで、先行技術（特開２０１２−４４７７９号）の問題点であったフィルタがフィルタカバー（実施形態２では前面カバー１５に相当）に接触しフィルタと冷却風との接触面積が減少することが、本発明ではなくなる。これにより本発明では、風速Ｖが低速であっても所定の風量Ｑを常時確保することができる。フィルタ１２を通過する風速Ｖが低速となることで、フィルタ１２が受ける経年的なダメージが低減され、フィルタ１２を長寿命化することができる。
【００５０】
また、本発明の第２実施形態に係るフィルタ１２の取付構造によれば、収納盤１３の扉１４を開閉することなくフィルタ１２を交換することができる。つまり、フィルタ１２を交換するために収納盤１３前面側から取り外す必要のある部品は、前面カバー１５及びフィルタアセンブリ１７の２つでありフィルタ１２の交換作業が容易となる。また、フィルタ１２の交換時には絶縁バリア２０は収納盤１３に設置された状態なので、収納盤１３部に危険個所があっても、その危険個所は絶縁バリア２０に保護されて手が触れるおそれがなく、交換作業時の安全性が確保される。
【００５１】
また、フィルタ１２をフィルタ固定枠２１に圧縮固定することで、フィルタ１２に穴を開けることなくフィルタ固定枠２１にフィルタ１２を固定することができる。その結果、フィルタ１２の材質や製作方法によってフィルタ１２に穴あけ加工が困難な場合にも、容易にフィルタ１２をフィルタ固定枠２１（さらには、受け金具１６）に固定することが可能となり、組立性が向上する。つまり、第１実施形態のフィルタ１の取付構造と比較して、第２実施形態に係るフィルタ１２の取付構造ではフィルタ１２への穴開け加工が不要なため、フィルタアセンブリ１７の組立作業及びフィルタ１２の交換作業が容易となる。
【００５２】
なお、第２実施形態のフィルタ１２の取付構造は、収納盤１３の前面に設けられた扉１４だけでなく、収納盤１３の側面や収納盤１３の背面に設けられた扉に適用することもできる。
【００５３】
以上、本発明のフィルタの取付構造及び収納盤について、具体的な実施形態を示して詳細に説明したが、本発明のフィルタの取付構造及び収納盤は、実施形態に限定されるものではなく、発明の特徴を損なわない範囲で適宜設計変更が可能であり、設計変更された形態も本発明の技術的範囲に含まれる。
【００５４】
例えば、押さえ板６，７に挟持されるフィルタは１枚に限定されるものではなく、図１２に示すように複数枚（２枚以上）のフィルタ１ａ，１ｂを重ねて押さえ板６，７に挟持してフィルタ構造体１１を構成することもできる。この場合、目の粗さの異なるフィルタ１ａ，１ｂを用いる（例えば、収納盤２の外側に設けられるフィルタ１ａ，１ｂほど、目の粗いフィルタ１ａ，１ｂを用いる）ことで、フィルタ１ａ，１ｂのさらなる長寿命化を図ることができる。同様に、フィルタ固定枠２１に目の粗さの異なる複数枚のフィルタ１２を設けることもできる。
【００５５】
また、フィルタ構造体５は、扉３に形成された通気口３ａに設けられる形態に限定されるものではなく、収納盤２の前面を覆う開閉機能を持たない板金に設けることもできる。さらには、収納盤２の側面や背面に設けられる板金に通気口を形成し、この通気口にフィルタ構造体５を設ける形態とすることもできる。
【００５６】
また、押さえ板６，７に形成される開口部６ａ，７ａは、４つに限定されるものではなく、冷却風がフィルタ１を通過して収納盤２内に流入可能な開口部が押さえ板６，７に形成される。同様に、受け金具１６に形成される開口部１６ｂ及びフィルタ固定枠２１に形成される開口部２１ｄの形状も実施形態に限定されるものではない。
【００５７】
また、フィルタ保持枠３ｂは、扉３と一体に形成するものに限定されるものではなく、別途フィルタ保持枠３ｂを扉３や板金に設ける形態とすることもできる。
【符号の説明】
【００５８】
１，１ａ，１ｂ，１２…フィルタ
２，１３…収納盤
３，１４…扉
３ａ…通気口
３ｂ…フィルタ保持枠
４…フィルタカバー
５，１１…フィルタ構造体
６，７…押さえ板（枠体）
６ａ，７ａ…開口部
８，１０…スペーサ
９…螺子
１４ａ…吸気穴（通気穴）、１４ｂ…雌螺子部
１５…前面カバー、１５ａ…螺子貫通穴、１５ｂ…開口穴
１６…受け金具、１６ａ…雌螺子部、１６ｂ…開口部
１７…フィルタアセンブリ
１８…溶接部
１９…パッキン（シール部材）
２０…絶縁バリア、２０ａ…開口穴
２１…フィルタ固定枠
２１ａ…支持部、２１ｂ…固定部、２１ｃ…螺子貫通穴、２１ｄ…開口部
【図１】
2016111915.tif 000003
【図２】
2016111915.tif 000004
【図３】
2016111915.tif 000005
【図４】
2016111915.tif 000006
【図５】
2016111915.tif 000007
【図６】
2016111915.tif 000008
【図７】
2016111915.tif 000009
【図８】
2016111915.tif 000010
【図９】
2016111915.tif 000011
【図１０】
2016111915.tif 000012
【図１１】
2016111915.tif 000013
【図１２】
2016111915.tif 000014